(57)【要約】  本発明は、一体型の中足骨部起伏部を有し、甲が被覆中敷および本底外皮に接続されている履物に関する。本発明によれば、上記本底外皮には、２つの成形物が互いに重なり合って配置されており、上記本底外皮における下に配置されている成形物は、上に配置されている成形物および上記本底外皮よりも硬く、上記上に配置されている成形物は、上記本底外皮よりも柔らかいことを特徴とする。
2009512525.tif 000002
【特許請求の範囲】
【請求項１】
一体型の中足骨部起伏部を有し、甲革が中敷および本底外皮に接続されている履物であって、
上記本底外皮（５）には、２つの成形物（３，４）が互いに重なり合って配置されており、
上記本底外皮において下側に配置されている成形物（４）は、上側に配置されている成形物（３）および上記本底外皮（５）よりも硬く、
上記上側に配置されている成形物（３）は、上記本底外皮（５）よりも柔らかいことを特徴とする履物。
【請求項２】
請求項１の履物において、
上記成形物（３，４）は、ＰＵＲ発泡体などの異なる硬度に調整可能な材料からなることを特徴とする履物。
【請求項３】
請求項１又は２の履物において、
上記成形物（３，４）のはめ込まれた上記本底外皮は、甲革と中敷とからなる甲構造に恒久的に接続されており、
上記中敷が柔らかいために上記本底外皮の上記成形物（３，４）に足が押し込められることを特徴とする履物。
【請求項４】
請求項１から３のいずれか１つの履物において、
上記上側に配置されている成形物（３）は、上記本底外皮（５）の約１０ｍｍ以上でかつ１２ｍｍ以下の周縁に平坦に接続されていることを特徴とする履物。
【請求項５】
請求項１から４のいずれか１つの履物において、
上記下側に配置されている成形物（４）の位置は中足骨部領域であることを特徴とする履物。
【請求項６】
請求項１から５のいずれか１つの一体型の中足骨部起伏部を有する履物において、
上記成形物（３）の高さは、足の前部領域において少なくとも６ｍｍであり、足の後部領域において少なくとも８ｍｍであり、成形物（４）の頂点の上方の中足骨部領域において約２ｍｍ以上でかつ４ｍｍ以下であることを特徴とする履物。
【請求項７】
請求項１から６のいずれか１つの一体型の中足骨部起伏部を有する履物において、
上記本底外皮（５）の範囲内における上記成形物（３）は、足の後部および前部の方向へくさび形に形成されており、足の外側および内側のアーチ領域において高さが異なることを特徴とする履物。
【請求項８】
請求項１から７のいずれか１つの一体型の中足骨部起伏部を有する履物において、
上記本底外皮（５）の範囲内における上記成形物（３，４）は、上記成形物（３，４）を形成する材料の挿入の後は、上記本底外皮（５）によってしっかりと取り囲まれており、上記本底外皮（５）の平面視において上記上の成形物（３）だけが見えることを特徴とする履物。
【発明の詳細な説明】
【技術分野】
【０００１】
本発明は、一体型の中足骨部起伏部を有する履物に関するものである。
【背景技術】
【０００２】
人間の足は生きていくうちに極度の負荷にさらされていることが知られている。誤った履物や太りすぎ、スポーツ活動による過負荷などの要因がさらに加われば、多くの場合、距関節やアキレス腱、中足骨部全体の故障につながる可能性がある。
【０００３】
距関節は、足と脚との間をつなぐ要素であって、膝関節のように体の全負荷がかかっている。年齢や太りすぎ、スポーツなどの上述の高い負荷により、軟骨磨耗や頻繁に語られる関節症になることは珍しくない。これらは、自然な運動経過および進行過程を妨げる。
【０００４】
腓腹筋の延長部に準じ、踵骨に筋張って付いているアキレス腱も、既に通常の負荷において強く伸長される。そのため、確かにアキレス腱は体の最も強い腱とされてはいるが、残念ながら、一部ではヒールの高すぎる靴を長年にわたって履いていることや、それに起因して一歩毎に繰り返し腱が不意に伸長および収縮するせいで、痛みの無い歩行をほぼ不可能にしてしまう炎症が起こる。
【０００５】
しかしながら、高いヒールのものを履くことだけではなく、数年にわたって硬い平坦な床の上を歩いたり立ったりすることも、長い間には足に損害を与えることとなる。
【０００６】
例えば、柔らかい床の上を素足で歩く場合は当然アーチ支持が無くなるので、時間が経つと縦および横のアーチが沈む。横のアーチが強く沈む場合は、開張足となる。中足骨部小頭が沈み、そして、完全に開いたままとなる。この場合も、歩行の際に痛みのない進行ができなくなる。
【０００７】
上記全ての故障は、歩行や走行の際の進行過程を制限するものなので、整形外科学靴製造者は、このような場合に、大抵は中足骨部領域における靴底の裏側に器材を置く。遷移部は、靴の先および踵に対して平らにされており、一種の起伏部が生じる。この起伏部の頂点は、通常、足根の３つの楔状骨の下にある。いわゆる中足骨部起伏部は、安定して滑らかに進行するように履く人を補助する。中足骨部起伏部は、足根関節の働きを軽減する。また、上部距関節の痛みが和らぎ、アキレス腱の伸長変化が減衰される。
【０００８】
残念ながら、本底下側に器材を置くと、靴がどうしても整形外科学的で不恰好な外観となってしまう。商品展開に中足骨部起伏部を有するモデルを入れている従来の履き心地の良い靴の製造者でも、靴底は、以前として典型的な風船のような又はシーソーのような外観を有している。
【０００９】
特許文献１に、通常よりもひときわ際立った起伏部が形成されている履物が記載されている。これによれば、足は意識的に不安定化される。その目的は、運動軸のすぐ近くにある全ての筋肉の強化である。つまり、外観は同様に下位的なものであり、治療効果を伴うトレーニング装置である。
【００１０】
一体型の柔らかい敷物又は土台を含むその他多くの靴底又は靴が知られている。靴底に入れられた発泡体や靴の中にある取り外し可能な足の底敷は、踵部および足の前部領域の衝撃を緩和し、足関節を支持する。確かに、多くのこのような靴は、流行上の観点から設計されてはいるが、中足骨部起伏部が緩和をもたらすであろうという上記臨床像の需要を考慮に入れていない。
【特許文献１】国際公開第０１１５５６０号Ａ１パンフレット
【発明の開示】
【発明が解決しようとする課題】
【００１１】
本発明の目的は、距関節、中足骨部領域又はアキレス腱の故障の際に、履く人の需要を考慮し、同時に、特に本底外観を自由に設計できるようにするため、従来のように中足骨部起伏部を外側から本底に形成しなくてよい履物を提供することである。
【課題を解決するための手段】
【００１２】
上記目的は、特許請求項１の特徴を有する一体型の中足骨部起伏部を有する履物により達成される。
【００１３】
上記履物は、履物の底外皮に、好ましくはポリウレタン（ＰＵ発泡体）又は異なる硬度に調整される他の緩衝材からなる２つの成形物がはめ込まれており、互いに重ねて配置されていることを特徴とする。この場合、底外皮は、甲革と柔らかい中敷とからなる甲構造に従来の方法で接続されている。
【００１４】
特別なデザインと、挿入部分の配置および硬さ調整と、底外皮の硬さ調整とは、甲構造と連動して、歩行の際に、底に外部から取り付けられる中足骨部起伏部に匹敵する効果を生じる。
【００１５】
本発明の好ましい実施形態は、主請求項に続く下位請求項から明らかとなる。
【発明を実施するための最良の形態】
【００１６】
本発明の更なる特徴、詳細および利点は、図に示す実施形態から明らかとなる。
【００１７】
図１に示すように、一体型の中足骨部起伏部を有する本発明の履物（以下、履物と呼ぶ）は、中敷２に接続されている甲革１と、本底外皮５に重ねて置かれてはめ込まれている２つの成形物３，４とからなる。
【００１８】
甲革１および中敷２は、柔らかい皮革又は合成素材からなることが好ましく、図１に示すように、ジグザグ縫い、直線縫い又は接着によって甲構造となるよう、従来どおりに互いに接続されている。
【００１９】
本底外皮５は、同じく接着又は縫い合わせによって、甲構造１，２と従来どおりに互いに接続されている。
【００２０】
成形物４，３および本底外皮５は、ＰＵＲ発泡体又は異なる硬度に調整される他の緩衝材からなることが好ましい。図２に示すように、本底外皮５において上側に配置されている成形物３は、約１０〜１２ｍｍの周縁に平坦にはめ込まれている。
【００２１】
図３および図４に、成形物３が足の前部領域５Ａの一断面および足の後部領域５Ｃの断面においてどのようにはめ込まれているかを断面図で示す。成形物３の高さは、足の前部領域５Ａにおいて少なくとも６ｍｍであることが好ましく，足の後部領域５Ｃにおいて少なくとも８ｍｍであることが好ましい。図５に示すように、成形物３は、中足骨部領域５Ｂにおいては成形物４の上に配置されている。成形物３は、成形物４の頂点上において、約４〜６ｍｍの高さである。
【００２２】
しかしながら、基本的に、成形物３の高さは、履く人の特別な需要に合わせることができる。この場合、例えば履く人の体重を考慮することができる。
【００２３】
図５および図７に示すように、成形物３の下方の本底外皮５にはめ込まれている成形物４は、前後がくさび形に仕上げられており、足の後部領域５Ｃおよび足の前部領域５Ａの方向に先細りしている。図６に示すように、成形物４は、中足骨部領域５Ｂにおいて、内側の縦アーチ５Ｄに沿って、外側の縦アーチ５Ｅの領域よりも高く形成されている。全体的な高さは、履く人の需要に自由に合わせられていてもよい。
【００２４】
成形物３，４および本底外皮５は、異なる硬度に調整されている。本底外皮５において成形物３の下方にはめ込まれている成形物４は、成形物３および本底外皮５よりも硬く、この場合、成形物３は本底外皮５よりも柔らかい。
【００２５】
図５および図６に示すように、成形物３，４は、例えばＰＵＲ発泡体材料の注入後、ＰＵＲ発泡体材料によってしっかりと取り囲まれているように、本底外皮５の形状にはめ込まれている。図２に示すように、本底外皮の平面図においてのみ、上方にはめ込まれた成形物３を見ることができる。
【００２６】
中敷２は柔らかいので、歩行又は走行の際に、進行過程の第１段階（図８）において、足は、履物によって本底外皮の足の後部領域５Ｃにおける柔らかい成形物３へ押される。
【００２７】
第２段階（図９）において、足は、中足骨部領域５Ｂにおける比較的硬い成形物４上に進行し、第３段階（図１０）において、成形物３の柔らかい足の前部領域５Ａに入る。
【００２８】
本底外皮５の平均的な硬さ調整により、全工程は、緩衝されながら支持される。本底外皮の外観は、広く自由に設計することができる。
【図面の簡単な説明】
【００２９】
【図１】図１は、本発明の一実施形態に基づく、一体型の中足骨部起伏部を有する履物の展開斜視図である。
【図２】図２は、一体型の中足骨部起伏部を有する履物の本底外皮の平面図である。
【図３】図３は、一体型の中足骨部起伏部を有する履物の本底外皮における足の前部領域の一断面図である。
【図４】図４は、一体型の中足骨部起伏部を有する履物の本底外皮における足の後部領域の一断面図である。
【図５】図５は、一体型の中足骨部起伏部を有する本底外皮の縦断面図である。
【図６】図６は、一体型の中足骨部起伏部を有する履物の本底外皮における中足骨部の領域の一断面図である。
【図７】図７は、一体型の中足骨部起伏部を有する履物の下部成形物の斜視図である。
【図８】図８は、一体型の中足骨部起伏部を有する履物を履いた進行過程の第１段階を示す図である。
【図９】図９は、一体型の中足骨部起伏部を有する履物を履いた進行過程の第２段階を示す図である。
【図１０】図１０は、一体型の中足骨部起伏部を有する履物を履いた進行過程の第３段階を示す図である。
【図１】
2009512525.tif 000003
【図２】
2009512525.tif 000004
【図３】
2009512525.tif 000005
【図４】
2009512525.tif 000006
【図５】
2009512525.tif 000007
【図６】
2009512525.tif 000008
【図７】
2009512525.tif 000009
【図８】
2009512525.tif 000010
【図９】
2009512525.tif 000011
【図１０】
2009512525.tif 000012
【国際調査報告】
2009512525.tif 000013
2009512525.tif 000014
2009512525.tif 000015
2009512525.tif 000016